(57)【要約】【課題】相手方レセプタクルに容易に装着することができる検査用同軸コネクタを提供することである。【解決手段】ハウジング２５及びプローブ本体１０は、同軸ケーブル１００に対して直接的または間接的に固定される。外導体バレル１６は、上下方向に延在し、かつ、上側の端部においてハウジング２５と接続されている。プローブ先端１１は、外導体バレル１６内において上下方向に延在し、上側の端部においてプローブ本体１０に接続されている。外導体バレル１６及びプローブ先端１１はそれぞれ、上側の端部を中心としてハウジング２５及びプローブ本体１０に対して揺動可能に構成されている。【選択図】図１
2014123482.tif 000002
【特許請求の範囲】
【請求項１】
第１の外導体及び第１の中心導体を有する同軸ケーブルに接続されて用いられると共に、第２の外導体及び第２の中心導体を有する相手方レセプタクルに着脱自在な検査用同軸コネクタであって、
前記第１の外導体に電気的に接続され、かつ、前記同軸ケーブルに対して直接的または間接的に固定されるハウジングと、
前記第１の中心導体に電気的に接続され、かつ、前記同軸ケーブルに対して直接的又は間接的に固定されるプローブ本体と、
所定方向に延在し、かつ、該所定方向の一方側の第１の端部において前記ハウジングと接続されている外導体バレルであって、該所定方向の他方側の第２の端部において前記第２の外導体に接続される外導体バレルと、
前記外導体バレル内において前記所定方向に延在し、該所定方向の一方側の第３の端部において前記プローブ本体に接続されるプローブ先端であって、該所定方向の他方側の第４の端部において前記第２の中心導体に接続されるプローブ先端と、
を備えており、
前記外導体バレル及び前記プローブ先端はそれぞれ、前記第１の端部及び前記第３の端部を中心として前記ハウジング及び前記プローブ本体に対して揺動可能に構成されていること、
を特徴とする検査用同軸コネクタ。
【請求項２】
前記外導体バレルの前記第１の端部は、球面状をなしており、
前記ハウジングにおいて前記外部導体バレルの前記第１の端部が接触する部分は、該外部導体バレルの該第１の端部の形状に倣った球面状をなしており、
前記プローブ先端の前記第３の端部は、球面状を成しており、
前記プローブ本体において前記プローブ先端の前記第３の端部が接触する部分は、該プローブ先端の該第３の端部の形状に倣った球面状を成していること、
を特徴とする請求項１に記載の検査用同軸コネクタ。
【請求項３】
前記プローブ先端は、前記プローブ本体に対して前記所定方向にスライド可能に構成されており、
前記検査用同軸コネクタは、
前記プローブ先端と前記外導体バレルとを絶縁する絶縁部材と、
を更に備えており、
前記プローブ本体は、前記プローブ先端を前記所定方向の一方側に押す弾性部材を含んでおり、
前記外導体バレルは、前記ハウジングに対して前記所定方向にスライド可能に構成されており、
前記プローブ先端は、前記絶縁部材を介して前記外導体バレルを前記所定方向の一方側に押していること、
を特徴とする請求項２に記載の検査用同軸コネクタ。
【請求項４】
前記外導体バレルが前記ハウジングに対する可動範囲において前記所定方向における最も他方側に位置し、かつ、前記プローブ先端が前記絶縁部材を介して該外導体バレルを押している状態において、該外導体バレルの前記第１の端部の中心と該プローブ先端の前記第３の端部の中心とが一致していること、
を特徴とする請求項３に記載の検査用同軸コネクタ。
【請求項５】
前記外導体バレルは、前記第２の外導体に接触していない状態において、前記プローブ先端によって前記所定方向の一方側に押されることにより、前記ハウジングに押し付けられて、所定姿勢を保っていること、
を特徴とする請求項３又は請求項４のいずれかに記載の検査用同軸コネクタ。
【発明の詳細な説明】
【技術分野】
【０００１】
本発明は、検査用同軸コネクタに関し、より特定的には、被検査体である相手方レセプタクルに着脱可能な検査用同軸コネクタに関する。
【背景技術】
【０００２】
従来の検査用同軸コネクタに関する発明としては、例えば、特許文献１に記載の同軸コネクタプラグが知られている。該同軸コネクタプラグは、外部電極体及び同軸ポストを備えており、筐体に取り付けられている。外部電極体は、上下方向に延在する円筒状をなしている。外部電極体の下端は、同軸ケーブルの外導体に接続されている。同軸ポストは、外部電極体内を上下方向に延在している。同軸ポストの下端は、同軸ケーブルの中心導体に接続されている。また、同軸ポスト及び外部電極体は、筐体に対して左右方向にスライド可能に取り付けられている。      
【０００３】
以上のように構成された同軸コネクタプラグは、レセプタクルに装着される際に、外部電極体の上端がレセプタクルのすり鉢状の内周面に接触する。これにより、外部電極体及び同軸ポストは、レセプタクルのすり鉢状の内周面に案内されて左右方向にスライドする。その結果、同軸コネクタプラグとレセプタクルとが左右方向にわずかにずれていたとしても、同軸コネクタプラグがレセプタクルにスムーズに装着されるようになる。      
【０００４】
しかしながら、特許文献１に記載の同軸コネクタプラグでは、依然として、同軸コネクタプラグがレセプタクルにスムーズに装着できないおそれがある。より詳細には、外部電極体及び同軸ポストは、同軸ケーブルの先端に取り付けられている。そのため、外部電極及び同軸ポストの左右方向のスライドによって、同軸ケーブルに伸び縮みが発生する。これにより、外部電極及び同軸ポストの左右方向のスライドが同軸ケーブルによって阻害されるおそれがある。その結果、特許文献１に記載の同軸コネクタプラグでは、同軸コネクタプラグがレセプタクルにスムーズに装着できないおそれがある。
【先行技術文献】
【特許文献】
【０００５】
【特許文献１】特開２００１−３３８７３３号公報（図６）
【発明の概要】
【発明が解決しようとする課題】
【０００６】
そこで、本発明の目的は、相手方レセプタクルに容易に装着することができる検査用同軸コネクタを提供することである。
【課題を解決するための手段】
【０００７】
本発明の一形態に係る検査用同軸コネクタは、第１の外導体及び第１の中心導体を有する同軸ケーブルに接続されて用いられると共に、第２の外導体及び第２の中心導体を有する相手方レセプタクルに着脱自在な検査用同軸コネクタであって、前記第１の外導体に電気的に接続され、かつ、前記同軸ケーブルに対して直接的または間接的に固定されるハウジングと、前記第１の中心導体に電気的に接続され、かつ、前記同軸ケーブルに対して直接的又は間接的に固定されるプローブ本体と、所定方向に延在し、かつ、該所定方向の一方側の第１の端部において前記ハウジングと接続されている外導体バレルであって、該所定方向の他方側の第２の端部において前記第２の外導体に接続される外導体バレルと、前記外導体バレル内において前記所定方向に延在し、該所定方向の一方側の第３の端部において前記プローブ本体に接続されるプローブ先端であって、該所定方向の他方側の第４の端部において前記第２の中心導体に接続されるプローブ先端と、を備えており、前記外導体バレル及び前記プローブ先端はそれぞれ、前記第１の端部及び前記第３の端部を中心として前記ハウジング及び前記プローブ本体に対して揺動可能に構成されていること、を特徴とする。
【発明の効果】
【０００８】
本発明によれば、相手方レセプタクルに容易に装着することができる。
【図面の簡単な説明】
【０００９】
【図１】本発明の一実施形態に係る検査用同軸コネクタの断面構造図である。
【図２】図１の検査用同軸コネクタの分解斜視図である。
【図３】検査用同軸コネクタ及びステージの構成図である。
【図４】相手方レセプタクルの断面構造図である。
【図５】相手方レセプタクルの断面構造図である。
【図６】相手方レセプタクルへの装着時における検査用同軸コネクタの断面構造図である。
【図７】相手方レセプタクルへの装着時における検査用同軸コネクタの断面構造図である。
【図８】相手方レセプタクルへの装着時における検査用同軸コネクタの断面構造図である。
【図９】相手方レセプタクルへの装着時における検査用同軸コネクタの断面構造図である。
【発明を実施するための形態】
【００１０】
（検査用同軸コネクタの構造）
以下に、本発明の一実施形態に係る検査用同軸コネクタ及びプローブの構造について、図１及び図２を参照して説明する。図１は、本発明の一実施形態に係る検査用同軸コネクタ１の断面構造図である。図２は、図１の検査用同軸コネクタ１の分解斜視図である。図３は、検査用同軸コネクタ１及びステージ５０の構成図である。以下では、プローブ本体１０の中心軸が延在している方向を上下方向とする。      
【００１１】
検査用同軸コネクタ１は、同軸ケーブル１００の先端に接続されて用いられると共に、図示しない相手方レセプタクルに着脱自在に構成されている。同軸ケーブル１００は、図１に示すように、中心導体１０２、絶縁膜１０４，１０８及び外導体１０６を備えている。中心導体１０２は、同軸ケーブル１００の芯線であり、高周波信号が伝送される。外導体１０６は、中心導体１０２の周囲を囲んでおり、接地電位が印加される。絶縁膜１０４は、中心導体１０２の周囲に設けられ、中心導体１０２と外導体１０６とを絶縁している。絶縁膜１０８は、外導体１０６の周囲に設けられ、同軸ケーブル１００の表面を構成している。また、同軸ケーブル１００の先端には、同軸コネクタ用のソケット１１０が設けられている。同軸ケーブル１００は、ソケット１１０を介して検査用同軸コネクタ１に接続されている。また、同軸ケーブル１００は、図示しない測定装置に接続されている。
【００１２】
検査用同軸コネクタ１は、図１及び図２に示すように、プローブ本体１０、プローブ先端１１、ソケット１４、外導体バレル１６、ブッシング２０ａ，２０ｂ、ハウジング２５及びコイルばね３２を備えている。    
【００１３】
ハウジング２５は、図１及び図２に示すように、同軸ケーブル１００の外導体１０６に電気的に接続され、上下方向に延在する筒状部材である。ハウジング２５は、導電性部材（例えば、ばね性が相対的に高い（すなわち、ヤング率の大きい）リン青銅）からなり、上部２５ａ、下部及びリング２５ｃにより構成されている。上部２５ａは、相対的に大きな直径を有する円筒部材である。下部２５ｂは、上部２５ａの下側において該上部２５ａと一体的に設けられており、相対的に小さな直径を有する円筒部材である。リング２５ｃは、下部２５ｂの下側の開口に圧入される円環状の部材であり、後述する外導体バレル１６がハウジング２５から下側に抜け落ちることを防止する。    
【００１４】
ソケット１４は、ソケット１１０を介して同軸ケーブル１００の外導体１０６と電気的に接続され、上下方向に延在する円筒部材である。ソケット１４は、ばね性が相対的に高い導電性部材（例えば、リン青銅）からなる。ソケット１４は、ハウジング２５の上部２５ａの上側の開口に挿入されており、例えばねじで締結されている。これにより、ハウジング２５は、ソケット１４，１１０を介して同軸ケーブル１００の外導体１０６に電気的に接続されている。更に、ハウジング２５は、ソケット１４，１１０を介して同軸ケーブル１００に対して固定されている。    
【００１５】
プローブ本体１０は、図１に示すように、同軸ケーブル１００の中心導体１０２に電気的に接続され、ハウジング２５と絶縁された状態でハウジング２５内を上下方向に延在している。プローブ本体１０は、図１に示すように、コイルばね１２、バレル１３及び先端部１５を含んでいる。      
【００１６】
バレル１３は、ばね性が相対的に高い導電性部材（例えば、ベリリウム銅）からなる円筒状部材であり、円筒部１３ａ及び端子部１３ｂにより構成されている。円筒部１３ａは、上下方向に延在する筒状部材である。円筒部１３ａの下側の開口の直径は、円筒部１３ａの内周面の直径よりも小さい。また、円筒部１３ａの上側には開口が設けられていない。端子部１３ｂは、円筒部１３ａの上側の端部に接続されており上側に向かって延在する棒状部材である。端子部１３ｂは、ソケット１４内をソケット１４に接触することなく上下方向に延在しており、ソケット１１０に接続されることによってソケット１１０を介して中心導体１０２に接続されている。これにより、プローブ本体１０は、ソケット１１０を介して同軸ケーブル１００の中心導体１０２に電気的に接続されている。更に、プローブ本体１０は、ソケット１１０を介して同軸ケーブル１００に対して固定されている。
【００１７】
先端部１５は、図１に示すように、軸部１５ａ及び頭部１５ｂからなるベリリウム銅製のピンである。軸部１５ａは、上下方向に延在している均一な太さを有する棒状部材である。頭部１５ｂは、軸部１５ａの上端に設けられ、軸部１５ａよりも大きい直径を有している。      
【００１８】
先端部１５は、頭部１５ｂがバレルの円筒部１３ａ内に収容され、かつ、軸部１５ａがバレル１３の円筒部１３ａの下側の開口から下側に向かって突出するように、バレル１３の円筒部１３ａに取り付けられる。軸部１５ａの直径は、円筒部１３ａの下側の開口の直径よりも小さく、頭部１５ｂの直径は、円筒部１３ａの下側の開口の直径よりも大きい。よって、軸部１５ａは、円筒部１３ａの下側の開口を通過することができる。一方、頭部１５ｂは、円筒部１３ａの下側の開口を通過することができない。これにより、先端部１５がバレル１３から下側に抜け落ちることが防止されている。また、先端部１５は、バレル１３に対して上下方向にスライドすることができる。      
【００１９】
コイルばね１２は、バレル１３の円筒部１３ａ内に収容され、先端部１５をバレル１３に対して下側に押し出す弾性部材である。すなわち、コイルばね１２は、先端部１５の頭部１５ｂを下側に押し出している。これにより、先端部１５は、下側から押さえつけられた場合、コイルばね１２が縮んで上側に退避することができる。      
【００２０】
外導体バレル１６は、上側の端部においてハウジング２５と接続され、上下方向に延在する筒状部材である。外導体バレル１６は、連結部３０及び先端部３４により構成されている。連結部３０は、上下方向に延在しており、導電性部材（例えば、ばね性が相対的に低い（すなわち、ヤング率の小さい）黄銅）からなる円筒部材である。連結部３０は、円筒部３０ａ及び頭部３０ｂにより構成されている。円筒部３０ａは、上下方向に延在する円筒部材であり、ハウジング２５の下側の開口から下側に向かって延在している。      
【００２１】
頭部３０ｂは、外導体バレル１６の上側の端部を構成しており、ハウジング２５に接続されている。具体的には、頭部３０ｂは、円筒部３０ａの上側の端部に接続されており、凸状の球面状の外周面Ｓｂを有している。また、ハウジング２５の下部２５ｂの下側の端部近傍の内周面Ｓａは、外周面Ｓｂに倣った凹状の球面状をなしており、頭部３０ｂが接触する部分である。すなわち、頭部３０ｂが下部２５ｂの下側の開口から挿入されることにより、下部２５ｂの内周面Ｓａと頭部３０ｂの外周面Ｓｂとが接触している。これにより、頭部３０ｂは、下部２５ｂ内において図１の前後左右方向に回転することができるので、外導体バレル１６は、頭部３０ｂを中心としてハウジング２５に対して揺動することができる。外導体バレル１６が揺動することができるとは、外導体バレル１６の中心軸が上下方向に対して傾くことができることを意味する。    
【００２２】
ただし、図１に示すように、内周面Ｓａ及び外周面Ｓｂとの間には、僅かな隙間が存在している。そのため、外導体バレル１６は、ハウジング２５に対してわずかに上下方向にスライドすることができる。      
【００２３】
先端部３４は、導電性部材（例えば、ばね性が相対的に高い（すなわち、ヤング率の大きい）リン青銅）からなる円筒部材であり、接触部３４ａ及び摺動部３４ｂにより構成されている。接触部３４ａは、外導体バレル１６の下側における先端部分であり、後述する相手方レセプタクルの外導体が挿入される円筒部材である。接触部３４ａは、接触部３４ａの直径が伸縮可能な構造を有している。具体的には、図２に示すように、接触部３４ａには、接触部３４ａの先端から上方向に延在するスリットＳが設けられている。これにより、接触部３４ａのばね性により、スリットＳが広がることにより、接触部３４ａは、水平方向に広がることができる。      
【００２４】
摺動部３４ｂは、接触部３４ａの上側の端部に接続されている円筒部材である。摺動部３４ｂの直径は、接触部３４ａの直径よりも大きい。そして、摺動部３４ｂは、連結部３０の円筒部３０ａ内に挿入されている。これにより、先端部３４は、連結部３０に対して上下方向にスライドすることができる。また、連結部３０の円筒部３０ａの下側の開口の直径は、摺動部３４ｂの直径よりも小さい。これにより、先端部３４が連結部３０から下側に抜け落ちることが防止されている。      
【００２５】
コイルばね３２は、連結部３０の円筒部３０ａ内に収容され、先端部３４を連結部３０に対して下側に押す弾性部材である。すなわち、コイルばね３２は、摺動部３４ｂを下側に押している。これにより、先端部３４は、下側から押さえつけられた場合、コイルばね３２が縮んで上側に退避することができる。      
【００２６】
プローブ先端１１は、外導体バレル１６内において上下方向に延在し、上側の端部においてプローブ本体１０に接続されている。プローブ先端１１は、ばね性が相対的に高い導電性部材（例えば、ベリリウム銅）からなり、軸部１１ａ及び頭部１１ｂにより構成されている。    
【００２７】
軸部１１ａは、上下方向に延在する棒状部材であり、連結部３０及び先端部３４内を上下方向に延在している。頭部１１ｂは、プローブ先端１１の上側の端部を構成しており、軸部１５ａの下側の端部に接続されている。具体的には、頭部１１ｂは、軸部１１ａの上側の端部に接続されている。頭部１１ｂの上面Ｓｃは、凹状の球面状をなしている。プローブ本体１０の軸部１５ａの下側の端面Ｓｄは、上面Ｓｃに倣った凸状の球面状をなしており、頭部１１ｂが接触する部分である。これにより、頭部１１ｂは、軸部１５ａに対して回転することができるので、プローブ先端１１は、頭部１１ｂを中心としてプローブ本体１０に対して揺動することができる。プローブ先端１１が揺動することができるとは、プローブ先端１１の中心軸が上下方向に対して傾くことができることを意味する。  
【００２８】
ここで、プローブ先端１１は、外導体バレル１６に対して上下方向にスライドすることができる。更に、先端部１５がバレル１３に対して上下方向にスライドできるので、先端部１５に接触しているプローブ先端１１も、バレル１３（すなわち、プローブ本体１０）に対して上下方向にスライドすることができる。また、プローブ本体１０の先端部１５は、コイルばね１２によって下側に押されている。そのため、プローブ先端１１は、先端部１５を介してコイルばね１２によって下側に押されている。ただし、プローブ先端１１は後述するブッシング２０ｂによって下側に抜け落ちることが防止されている。      
【００２９】
ブッシング２０ａは、ハウジング２５内に設けられており、樹脂等の絶縁体からなる円筒部材である。ブッシング２０ａには、図１及び図２に示すように、プローブ本体１０が挿入されて固定されている。ブッシング２０ａの先端からは、プローブ本体１０の先端が突出している。      
【００３０】
更に、プローブ本体１０が挿入されたブッシング２０ａは、図１に示すように、筒状のハウジング２５に挿入されて固定されている。ブッシング２０ａは絶縁体により構成されているので、プローブ本体１０とハウジング２５とは絶縁されている。      
【００３１】
ブッシング２０ｂは、外導体バレル１６内に設けられており、樹脂等の絶縁体からなる円筒部材である。ブッシング２０ｂには、図１及び図２に示すように、プローブ先端１１が挿入されている。プローブ先端１１は、ブッシング２０ｂに対して上下方向にスライドすることができる。ブッシング２０ｂの先端からは、プローブ先端１１の先端が突出している。      
【００３２】
プローブ先端１１が挿入されたブッシング２０ｂは、図１及び図２に示すように、外導体バレル１６の連結部３０及び先端部３４に挿入されて固定されている。ブッシング２０ｂは絶縁体により構成されているので、プローブ先端１１と外導体バレル１６とは絶縁されている。        
【００３３】
また、プローブ先端１１は、先端部１５を介してコイルばね１２によって下側に押されている。ただし、頭部１１ｂは、図１に示すように、ブッシング２０ｂに引っかかっている。そのため、プローブ先端１１は、ブッシング２０ｂを下側に押すことにより、該ブッシング２０ｂを介して外導体バレル１６を下側に押している。ただし、外導体バレル１６の頭部３０ｂがハウジング２５のリング２５ｃに引っかかることによって、外導体バレル１６がハウジング２５から下側に抜け落ちることが防止されている。      
【００３４】
また、プローブ先端１１は、ブッシング２０ｂによって外導体バレル１６に対する上下方向以外の動きが規制される。よって、外導体バレル１６及びプローブ先端１１は、一体となってハウジング２５及びプローブ本体１０に対して図１の前後方向及び左右方向に揺動する。    
【００３５】
以上のように構成された検査用同軸コネクタ１は、図３に示すように、ステージ５０に取り付けられて用いられる。より詳細には、ステージ５０は、ベース５２、アーム６０及びコイルばね７０を備えている。ベース５２は、板状の部材であり、ステージ５０の本体を構成している。ベース５２には、孔Ｈａ，Ｈｂが設けられている。孔Ｈａ，Ｈｂは、上下方向に並ぶことにより１本の貫通孔を構成している。孔Ｈａは、孔Ｈｂよりも上側に位置している。また、孔Ｈａの直径は、孔Ｈｂの直径よりも大きい。    
【００３６】
検査用同軸コネクタ１は、孔Ｈａ，Ｈｂに上側から挿入される。具体的には、ハウジング２５を孔Ｈａ，Ｈｂに挿入する。ハウジング２５の下部２５ｂの直径は、ハウジング２５の上部２５ａの直径よりも小さい。そのため、ハウジング２５の下部２５ｂは、孔Ｈｂを通過できるのに対して、ハウジング２５の上部２５ａは、孔Ｈｂを通過できない。よって、検査用同軸コネクタ１は、ハウジング２５の上部２５ａが孔Ｈａと孔Ｈｂとの境界において引っかかって下側に抜け落ちない。          
【００３７】
アーム６０は、ベース５２の上面上に設けられており、Ｌ字型を成している。より詳細には、アーム６０は、ベース５２の上面から上側に延びると共に、側方に折れ曲がった形状を成している。そして、アーム６０は、上側から平面視したときに孔Ｈａ，Ｈｂ上に重なっている。検査用同軸コネクタ１は、アーム６０に設けられた図示しない孔を通過している。コイルばね７０は、ハウジング２５の上部２５ａとアーム６０との間に設けられている。これにより、コイルばね７０は、検査用同軸コネクタ１を下側に押している。その結果、検査用同軸コネクタ１は、ベース５２に押さえ付けられて、ベース５２に対して固定されている。また、検査用同軸コネクタ１は、下側から押されると、コイルばね７０が縮むことにより、上側に退避することができる。    
【００３８】
（相手方レセプタクルの構成）
次に、相手方レセプタクル３０１の構成について図４及び図５を参照して説明する。図４及び図５は、相手方レセプタクル３０１の断面構造図である。図４では、検査用同軸コネクタ１が相手方レセプタクル３０１に装着されておらず、図５では、検査用同軸コネクタ１が相手方レセプタクル３０１に装着されている。      
【００３９】
相手方レセプタクル３０１は、例えば、携帯電話のアンテナと送受信回路との間に設けられるスイッチ付同軸コネクタであり、ケース３０４、外導体３０５、可動端子３０６及び固定端子３０７を備えている。    
【００４０】
ケース３０４は、樹脂部材であり、上側に向かって広がるすり鉢状の開口を有している。外導体３０５は、ケース３０４の側面を覆っており、円筒状を成す金属部材である。外導体３０５はグランド電位に保たれる。可動端子３０６は、ケース３０４に取り付けられており、ケース３０４の左端から右方向へと延在している。また、可動端子３０６は、上側から平面視したときに、ケース３０４のすり鉢状の開口を横切っている。可動端子３０６は送受信回路に接続されている。固定端子３０７は、ケース３０４に取り付けられており、ケース３０４の右端近傍に設けられている。固定端子３０７はアンテナに接続される。可動端子３０６は、検査用同軸コネクタ１が装着されていない状態では、図４に示すように、下側から固定端子３０７に対して圧接している。可動端子３０６と固定端子３０７とが接触しているので、アンテナと送受信回路とが接続されている。
【００４１】
ここで、検査用同軸コネクタ１が装着されると、図５に示すように、外導体３０５は、先端部３４内に挿入される。これにより、外導体バレル１６と外導体３０５とが接続される。よって、外導体バレル１６及びハウジング２５が接地電位に保たれる。また、プローブ先端１１がケース３０４の開口内に挿入され、可動端子３０６を押し下げる。これにより、固定端子３０７と可動端子３０６とが離れると共に、プローブ本体１０及びプローブ先端１１と可動端子３０６とが接続され、送受信回路と測定器とが接続されるようになる。    
【００４２】
（検査用同軸コネクタの動作）
次に、検査用同軸コネクタ１の動作について図６ないし図９を参照して説明する。図６ないし図９は、相手方レセプタクル３０１への装着時における検査用同軸コネクタ１の断面構造図である。      
【００４３】
まず、図６の状態では、検査用同軸コネクタ１は、相手方レセプタクル３０１の左上に位置している。この状態では、検査用同軸コネクタ１と相手方レセプタクル３０１とは接触していない。そのため、外導体バレル１６は、コイルばね１２によって下側に押されてリング２５ｃに押しつけられている。よって、下部２５ｂの内周面Ｓａと頭部３０ｂの外周面Ｓｂとの間には僅かな隙間が存在している。更に、外導体バレル１６は、リング２５ｃに接触することによって、上下方向に延在した姿勢を保っている。すなわち、プローブ先端１１の中心軸及び外導体バレル１６の中心軸が上下方向に対して傾いていない。    
【００４４】
次に、図７に示すように、検査用同軸コネクタ１が下降させられると、接触部３４ａが相手方レセプタクル３０１の外導体３０５に接触する。これにより、検査用同軸コネクタ１の相手方レセプタクル３０１への装着が開始される。ただし、図７の状態では、検査用同軸コネクタ１は、相手方レセプタクル３０１に対してわずかに左側にずれている。    
【００４５】
次に、図８に示すように、検査用同軸コネクタ１が下降させられると、外導体バレル１６が外導体３０５によって上側に押される。これにより、コイルばね１２が縮んで、外導体バレル１６がハウジング２５に対してわずかに上昇する。その結果、外導体バレル１６の頭部３０ｂの外周面Ｓｂがハウジング２５の下部２５ｂの内周面Ｓａに接触する。ただし、図８の状態では、先端部３４は、連結部３０に対して上昇していない。
【００４６】
更に、図８に示すように、検査用同軸コネクタ１は、相手方レセプタクル３０１に対して左側にずれている。そのため、外導体バレル１６内に外導体３０５が進入する際に、外導体バレル１６は外導体３０５から右側に向かって力を受ける。これにより、外導体バレル１６は、頭部３０ｂを中心として回転し、上下方向に対して右側にわずかに傾く。この際、プローブ先端１１も、頭部１１ｂを中心として回転し、上下方向に対して右側にわずかに傾く。    
【００４７】
次に、図９に示すように、検査用同軸コネクタ１が更に下降させられると、外導体バレル１６の接触部３４ａ内に外導体３０５が挿入されて、先端部３４が外導体３０５により上側に押される。これにより、先端部３４が、連結部３０に対して上昇する。また、プローブ先端１１が可動端子３０６を押し下げる。これにより、可動端子３０６と固定端子３０７とが離れると共に、プローブ先端１１及びプローブ本体１０と可動端子３０６とが接続され、送受信回路と測定器とが接続されるようになる。以上の動作により、検査用同軸コネクタ１が相手方レセプタクル３０１に装着される。      
【００４８】
（効果）
以上のような検査用同軸コネクタ１によれば、検査用同軸コネクタ１を相手方レセプタクル３０１に容易に装着することができる。より詳細には、検査用同軸コネクタ１では、同軸ケーブル１００は、外導体バレル１６及びプローブ先端１１に対して固定されているのではなく、ハウジング２５及びプローブ本体１０に対して固定されている。更に、外導体バレル１６及びプローブ先端１１はそれぞれ、ハウジング２５及びプローブ本体１０に対して揺動可能に構成されている。これにより、外導体バレル１６及びプローブ先端１１の揺動が同軸ケーブル１００によって阻害されない。よって、検査用同軸コネクタ１が相手方レセプタクル３０１に対して左右方向にわずかにずれた状態で装着される際に、外導体バレル１６及びプローブ先端１１が左右方向にわずかに折れ曲がることによって、外導体バレル１６と外導体３０５とが接続されると共に、プローブ先端１１と可動端子３０６とが接続されるようになる。よって、検査用同軸コネクタ１によれば、検査用同軸コネクタ１を相手方レセプタクル３０１に容易に装着することができる。
【００４９】
また、検査用同軸コネクタ１では、外導体バレル１６は、プローブ先端１１及びブッシング２０ｂを介してコイルばね１２によって下側に押されている。そのため、検査用同軸コネクタ１が相手方レセプタクル３０１から取り外された場合には、外導体バレル１６は、押し下げられてリング２５ｃに接触する。これにより、外導体バレル１６の中心軸及びプローブ先端１１の中心軸が上下方向に延在した姿勢に復帰する。
【００５０】
また、検査用同軸コネクタ１では、外導体バレル１６がハウジング２５に対する可動範囲において最も上側に位置し、かつ、プローブ先端１１がブッシング２０ｂを介して外導体バレル１６を押している状態（すなわち、図８の状態）において、外導体バレル１６の頭部３０ｂの外周面Ｓｂの中心とプローブ先端１１の頭部１１ｂの上面Ｓｃの中心とが一致していることが好ましい。より詳細には、外導体バレル１６及びプローブ先端１１がハウジング２５及びプローブ本体１０に対して揺動するタイミングは、図８に示すように、外導体バレル１６の頭部３０ｂの外周面Ｓｂがハウジング２５の下部２５ｂの内周面Ｓａに接触し、かつ、プローブ先端１１が外導体バレル１６に対して上側に退避していない状態のタイミングである。外導体バレル１６の頭部３０ｂの外周面Ｓｂがハウジング２５の下部２５ｂの内周面Ｓａに接触している状態とは、外導体バレル１６がハウジング２５に対する可動範囲において最も上側に位置している状態である。また、プローブ先端１１が外導体バレル１６に対して上側に退避していない状態とは、プローブ先端１１がブッシング２０ｂを介して外導体バレル１６を押している状態である。外導体バレル１６は、頭部３０ｂの外周面Ｓｂの中心を中心として揺動する。また、プローブ先端１１は、プローブ先端１１の頭部１１ｂの上面Ｓｃの中心を中心として揺動する。よって、図８の状態において、これらの中心が一致していれば、外導体バレル１６及びプローブ先端１１が一体となってスムーズに揺動することが可能となる。      
【００５１】
（その他の実施形態）  
なお、本発明に係る検査用同軸コネクタは、前記検査用同軸コネクタ１に限らずその要旨の範囲内において変更可能である。      
【００５２】
なお、検査用同軸コネクタ１は、可動端子３０６及び固定端子３０７を有するスイッチ機能付きの相手方レセプタクル３０１に装着されている。しかしながら、相手方レセプタクル３０１は、スイッチ機能を有していなくてもよい。      
【００５３】
プローブ本体１０及びハウジング２５はそれぞれ、同軸ケーブル１００に対してソケット１４，１１０を介して間接的に固定されているが、ソケット１４又はソケット１１０を介することなく直接的に固定されていてもよい。
【産業上の利用可能性】
【００５４】
以上のように、本発明は、検査用同軸コネクタに有用であり、特に、検査用同軸コネクタを相手方レセプタクルに容易に装着することができる点において優れている。
【符号の説明】
【００５５】
Ｓａ  内周面
Ｓｂ  外周面
Ｓｃ  上面
Ｓｄ  端面
１ 検査用同軸コネクタ
１０  プローブ本体
１１  プローブ先端
１１ａ，１５ａ  軸部
１１ｂ，１５ｂ，３０ｂ  頭部
１２，３２  コイルばね
１３  バレル
１３ａ  円筒部
１３ｂ  端子部
１４  ソケット
１５  先端部
１６  外導体バレル
２０ａ，２０ｂ  ブッシング
２５  ハウジング
２５ａ  上部
２５ｂ  下部
２５ｃ  リング
３０  連結部
３０ａ  円筒部
３４  先端部
３４ａ  接触部
３４ｂ  摺動部
【図１】
2014123482.tif 000003
【図２】
2014123482.tif 000004
【図３】
2014123482.tif 000005
【図４】
2014123482.tif 000006
【図５】
2014123482.tif 000007
【図６】
2014123482.tif 000008
【図７】
2014123482.tif 000009
【図８】
2014123482.tif 000010
【図９】
2014123482.tif 000011